(57)【要約】【課題】ヒンジ爪が手前側のコントロールプレートをヒンジ爪により開閉自在とし、部品数を減少しながら、ヒンジ爪が係止する係止穴からの雨水の侵入を防止することができる空気調和機のコントロールユニットを提供することを目的とする。【解決手段】制御用の基板、電装品およびその他機器類が設置されるコントロールプレート７，８を少なくとも２層以上の多層構造とし、その手前側のコントロールプレート８をヒンジ爪１３により開閉自在とした空気調和機のコントロールユニット６において、ヒンジ爪１３が、手前側のコントロールプレート８のヘミング加工１１による折り返しにより形成された鍔部１２の先端に設けられ、該ヘミング加工により形成された鍔部１２で、ヒンジ爪１３を係止する奥側のコントロールプレート７に設けられている係止穴１７が閉鎖可能とされている。【選択図】図５
2014066462.tif 000002
【特許請求の範囲】
【請求項１】
制御用の基板、電装品およびその他機器類が設置されるコントロールプレートを少なくとも２層以上の多層構造とし、その手前側のコントロールプレートをヒンジ爪により開閉自在とした空気調和機のコントロールユニットにおいて、
前記ヒンジ爪が、前記手前側のコントロールプレートのヘミング加工による折り返しにより形成された鍔部の先端に設けられ、
該ヘミング加工により形成された前記鍔部で、前記ヒンジ爪を係止する奥側のコントロールプレートに設けられている係止穴が閉鎖可能とされていることを特徴とする空気調和機のコントロールユニット。
【請求項２】
前記ヒンジ爪は、その基部先端の上下部に上下方向に突出する掛り部を備え、
前記ヒンジ爪が係止される前記係止穴は、前記ヒンジ爪の前記掛り部を含む爪先端部分が挿入可能な上下方向寸法を有する第１穴部と、該第１穴部とクランク状に繋がり、前記ヒンジ爪の基部のみが嵌脱可能な第２穴部とを備えており、
前記手前側コントロールプレートの開閉時、該手前側コントロールプレートを手前側に引き出し、前記ヒンジ爪を前記第２穴部側に移動させ、前記ヒンジ爪の前記掛り部を前記第２穴部の上下縁部に引っ掛けることにより開閉自在としていることを特徴とする請求項１に記載の空気調和機のコントロールユニット。
【請求項３】
最奥側の前記コントロールプレートが、熱交換室と機械室とを仕切る仕切り板の一部を兼ねた構成とされていることを特徴とする請求項１または２に記載の空気調和機のコントロールユニット。
【発明の詳細な説明】
【技術分野】
【０００１】
本発明は、空気調和機の室外機等に適用される多層構造のコントロールユニットに関するものである。
【背景技術】
【０００２】
空気調和機の室外機等において、室外機に搭載されるコントロールユニットを多層構造となし、コントロールユニットをコンパクト化することにより、室外機を小型化したものが実用に供されている。この場合、コントロールユニットの奥側のコントロールプレート上に設置されている基板、電装品およびその他機器類を修理あるいは交換する等のメンテナンスを行う場合、手前側のコントロールプレートを全て取り外さなければならず、メンテナンス時のサービス性が低下する等の問題があった。
【０００３】
そこで、手前側のコントロールプレートを、蝶番を介してヒンジ結合したり、あるいは特許文献１，２に開示されるように、ヒンジ爪を介して係止穴に結合したりするによって手前側に開閉自在となし、メンテナンス時の作業性を向上させていた。
【先行技術文献】
【特許文献】
【０００４】
【特許文献１】実公昭６１−２０４３２号公報
【特許文献２】特開２００６−６４２０８号公報
【発明の概要】
【発明が解決しようとする課題】
【０００５】
しかしながら、蝶番でヒンジ結合することにより開閉自在としたものでは、蝶番の使用に伴って部品数が増えるため、組み立て工数が増加するとともに、製造コストがアップする等の課題があった。また、ヒンジ爪による結合の場合、蝶番を省略して部品数の増加を抑えることができるが、手前側のコントロールプレートに設けられているヒンジ爪を係止する係止穴を、手前側コントロールプレートの設置ベースとなる奥側のコントロールプレートに設ける必要があり、この係止穴を伝って熱交換室側から機械室側に雨水が入り込むことがある等の課題があった。
【０００６】
特に、奥側のコントロールプレートが、熱交換室と機械室とを仕切る仕切り板を兼ねた構成とされているユニット構造の場合、熱交換室側でファンの回転により吹き飛ばされた雨水が、係止穴を伝って機械室側のコントロールユニット内部に侵入し、コントロールプレート上に設置されている基板、電装品およびその他機器類に対して悪影響を及ぼす可能性があった。
【０００７】
本発明は、このような事情に鑑みてなされたものであって、ヒンジ爪が手前側のコントロールプレートをヒンジ爪により開閉自在とし、部品数を減少しながら、ヒンジ爪が係止する係止穴からの雨水の侵入を防止することができる空気調和機のコントロールユニットを提供することを目的とする。
【課題を解決するための手段】
【０００８】
上記した課題を解決するために、本発明の空気調和機のコントロールユニットは、以下の手段を採用する。
すなわち、本発明にかかる空気調和機のコントロールユニットは、制御用の基板、電装品およびその他機器類が設置されるコントロールプレートを少なくとも２層以上の多層構造とし、その手前側のコントロールプレートをヒンジ爪により開閉自在とした空気調和機のコントロールユニットにおいて、前記ヒンジ爪が、前記手前側のコントロールプレートのヘミング加工による折り返しにより形成された鍔部の先端に設けられ、該ヘミング加工により形成された前記鍔部で、前記ヒンジ爪を係止する奥側のコントロールプレートに設けられている係止穴が閉鎖可能とされていることを特徴とする。
【０００９】
本発明によれば、多層構造としたコントロールプレートの手前側のコントロールプレートをヒンジ爪により開閉自在とした空気調和機のコントロールユニットにおいて、ヒンジ爪が、手前側のコントロールプレートのヘミング加工による折り返しにより形成された鍔部の先端に設けられ、該ヘミング加工により形成された鍔部で、ヒンジ爪を係止する奥側のコントロールプレートに設けられている係止穴が閉鎖可能とされているため、手前側コントロールプレートを、ヒンジ爪および係止穴を介して奥側コントロールプレートに対して開閉自在に支持することができる。従って、蝶番の使用による部品数の増加を抑え、組み立て工数の増加や製造コストの上昇を防止しつつ、手前側のコントロールプレートを開閉自在とし、メンテナンス時の作業性を向上することができる。また、手前側のコントロールプレートを閉じて積層状態としたとき、ヘミング加工によって形成された鍔部を奥側コントロールプレートに設けられている係止穴に面接触させることにより、係止穴を鍔部で閉鎖することができる。従って、奥側コントロールプレートの係止穴を伝って雨水がコントロールユニットの内部に侵入するのを防止し、コントロールプレート上の基板、電装品およびその他機器類に及ぼす悪影響を排除することができる。
【００１０】
さらに、本発明の空気調和機のコントロールユニットは、上記の空気調和機のコントロールユニットにおいて、前記ヒンジ爪は、その基部先端の上下部に上下方向に突出する掛り部を備え、前記ヒンジ爪が係止される前記係止穴は、前記ヒンジ爪の前記掛り部を含む爪先端部分が挿入可能な上下方向寸法を有する第１穴部と、該第１穴部とクランク状に繋がり、前記ヒンジ爪の基部のみが嵌脱可能な第２穴部とを備え、前記手前側コントロールプレートの開閉時、該手前側コントロールプレートを手前側に引き出し、前記ヒンジ爪を前記第２穴部側に移動させ、前記ヒンジ爪の前記掛り部を前記第２穴部の上下縁部に引っ掛けることにより開閉自在としていることを特徴とする。
【００１１】
本発明によれば、ヒンジ爪が、その基部先端の上下部に上下方向に突出する掛り部を備え、ヒンジ爪が係止される係止穴が、該ヒンジ爪の掛り部を含む爪先端部分が挿入可能な上下方向寸法を有する第１穴部と、該第１穴部とクランク状に繋がり、ヒンジ爪の基部のみが嵌脱可能な第２穴部とを備えており、手前側コントロールプレートの開閉時、手前側コントロールプレートを手前側に引き出し、ヒンジ爪を第２穴部側に移動させ、ヒンジ爪の掛り部を第２穴部の上下縁部に引っ掛けることにより開閉自在としているため、手前側のコントロールプレートを閉じて積層状態とする場合、ヒンジ爪を係止穴の第１穴部に係止させ、手前側のコントロールプレートを開閉する場合、手前側に引き出し、ヒンジ爪を係止穴の第２穴部に係止させて係止位置を切換えることにより、手前側コントロールプレートを閉じて積層状態とした時、ヘミング加工によって形成された鍔部を係止穴に面接触させて、該係止穴を鍔部で閉鎖することができ、また、手前側のコントロールプレートの開閉時、ヘミング加工による折り返しによって迫り出した鍔部が、手前側コントロールプレートの開閉動作を妨げないようにすることができる。従って、係止穴からの雨水のコントロールユニット内への侵入を確実に防止することができるとともに、手前側コントロールプレートの開閉をスムーズに行うことができる。
【００１２】
さらに、本発明の空気調和機のコントロールユニットは、上述のいずれかの空気調和機のコントロールユニットにおいて、最奥側の前記コントロールプレートが、熱交換室と機械室とを仕切る仕切り板の一部を兼ねた構成とされていることを特徴とする。
【００１３】
本発明によれば、最奥側の前記コントロールプレートが、熱交換室と機械室とを仕切る仕切り板の一部を兼ねた構成とされているため、最奥側のコントロールプレートが、熱交換室と機械室とを仕切る仕切り板の一部を兼ねた構成とされているユニットの場合であっても、係止穴をヒンジ爪側のヘミング加工で形成された鍔部で閉鎖することにより、熱交換室側でファンの回転により吹き飛ばされた雨水が、係止穴を伝って機械室側のコントロールユニット内部に侵入してくるのを阻止することができる。従って、雨水の侵入によるコントロールプレート上の基板、電装品およびその他機器類への悪影響を排除することができる。
【発明の効果】
【００１４】
本発明によると、手前側コントロールプレートをヒンジ爪および係止穴を介して奥側コントロールプレートに対して開閉自在に支持することができるため、蝶番の使用による部品数の増加を抑え、組み立て工数の増加や製造コストの上昇を防止しつつ、手前側のコントロールプレートを開閉自在とし、メンテナンス時の作業性を向上することができる。また、手前側のコントロールプレートを閉じて積層状態としたとき、ヘミング加工によって形成された鍔部を奥側コントロールプレートに設けられている係止穴に面接触させることにより、係止穴を鍔部で閉鎖することができるため、奥側コントロールプレートの係止穴を伝って雨水がコントロールユニットの内部に侵入するのを防止し、コントロールプレート上の基板、電装品およびその他機器類に及ぼす悪影響を排除することができる。
【図面の簡単な説明】
【００１５】
【図１】本発明の一実施形態に係る一部部品を省略した空気調和機の室外機の外観斜視図である。
【図２】図１に示す空気調和機の室外機の機械室側の上方部に設置されるコントロールユニットの手前側コントロールプレートの斜視図である。
【図３】図２に示すコントロールユニットの奥側に設置されるコントロールプレートの斜視図（Ａ）とその設置状態を示す裏面図（Ｂ）である。
【図４】図２に示す手前側コントロールプレートのヒンジ爪と係止穴との結合部の構成を示す横断面図である。
【図５】図２に示す手前側コントロールプレートの開閉動作と、その時のヒンジ爪および係止穴の係止状態についての説明図（Ａ）ないし（Ｃ）である。
【発明を実施するための形態】
【００１６】
以下に、本発明の一実施形態について、図１ないし図５を参照して説明する。
図１には、本発明の一実施形態に係る一部部品を省略した空気調和機の室外機の外観斜視図が示され、図２には、そのコントロールユニットの手前側コントロールプレートの斜視図、図３には、その奥側コントロールプレートの斜視図が示されている。
空気調和機の室外機１は、筐体２を備えている。筐体２の内部は、仕切り板３によって熱交換室４側と機械室５側とに仕切られている。なお、図１の示す筐体２は、機械室５の前面および側面の一部を覆うサービスパネルを取り外した状態とされている。
【００１７】
筐体２内の熱交換室４側には、図示省略の熱交換器および送風機（本例の場合、上下に２台）等が設置されており、機械室５側には、図示省略の圧縮機、レシーバ、アキュームレータ、四方切換弁、室外膨張弁等が設置されている。このような室外機１は公知のものである。また、機械室５内の上方部には、コントロールユニット６が設置され、圧縮機を駆動するインバータや送風機の駆動回路、四方切換弁、室外膨張弁およびその他電磁弁等を制御する制御基板、電装品およびその他機器類が配設されている。
【００１８】
コントロールユニット６は、奥側に配置される奥側コントロールプレート７と、手前側に配置される手前側コントロールプレート８とを多層に配置した多層構造のコントロールユニット６とされている。ここでの、奥側コントロールプレート７は、仕切り板３の上部に連続して設けられ、仕切り板３の一部を兼ねた構成とされている。なお、本実施形態においては、コントロールプレート７，８を２層に配置したものとしているが、３層以上に多層化した構成とすることも可能である。
【００１９】
両コントロールプレート７，８には、上記した圧縮機駆動用のインバータや送風機の駆動回路、四方切換弁、室外膨張弁およびその他電磁弁等を制御する制御基板、電装品およびその他機器類が適宜分散して配設されるが、ここでは、手前側のコントロールプレート８上にインバータの構成機器類が配設されているものとする。この手前側コントロールプレート８は、奥側コントロールプレート７に対して、後述のヒンジ爪１３を介して手前側に開閉自在に結合されており、奥側のコントロールプレート７上に配設されている機器類に対してメンテナンスする場合、手前側に開くことによって、手前側のコントロールプレート８を取り外さなくても、奥側のコントロールプレート７にアクセスできる構成とされている。
【００２０】
手前側コントロールプレート８には、図２、図４および図５に示されるように、一端側のフランジ部９の上下２箇所にクランク状の折り曲げ部１０が形成されており、その先端部分にヘミング加工（１８０°折り返す曲げ加工であり、あざ折り加工ともいう。）１１が設けられている。このヘミング加工１１による折り返しによって鍔部１２が形成され、その先端に鉛直方向に延出されたヒンジ爪１３が設けられている。ヒンジ爪１３は、その基部１４の先端の上下部に、以下に記す係止穴１７の上下縁部に引っ掛けられる上下方向に突出した掛り部１５を有する構成とされている。
【００２１】
一方、手前側コントロールプレート８が開閉自在に結合される奥側のコントロールプレート７には、その一端側に設けられているクランク状に曲げ成形されたフランジ部１６のヒンジ爪１３と対応する上下２箇所に、ヒンジ爪１３が係止される係止穴１７が穿設されている。この係止穴１７は、上下方向に細長いスリット状の穴であり、長さの異なる一対の第１穴部１８と第２穴部１９とが長さ方向に一部がラップしてクランク状に繋がれたクランク形状の穴とされている。
【００２２】
係止穴１７の第１穴部１８は、基部１４の先端部に設けられている上下の掛り部１５を含むヒンジ爪１３の上下方向寸法ｈ１よりも少し長めの寸法Ｈ１（Ｈ１＞ｈ１）とされたスリット穴であり、板厚を有するヒンジ爪１３が挿入可能な幅寸法とされている。第２穴部１９は、第１穴部１８より所定寸法だけ下方に延長された状態で、第１穴部１８の一側とクランク状に繋がれており、その上下方向寸法Ｈ２は、ヒンジ爪１３の基部１４の上下方向寸法ｈ２よりも少し長くされ（Ｈ２＜ｈ２）、ヒンジ爪１３の基部１４のみが嵌脱可能な長さとされている。
【００２３】
そして、手前側コントロールプレート８の手前側への引き出しにより、ヒンジ爪１３が第２穴部１９側に移動されたとき、上下の掛り部１５が第２穴部１９の上下縁部に引っ掛けられることにより、ヒンジ爪１３を支点に手前側コントロールプレート８が開閉可能とされるとともに、手前側コントロールプレート８が閉じて積層状態とされたとき、ヘミング加工１１によって形成された鍔部１２が、フランジ部１６に対して面接触されることにより、係止穴１７が鍔部１２で閉鎖されるように構成されている。
【００２４】
以上に説明の構成により、本実施形態によれば、以下の作用効果を奏する。
上記室外機１のコントロールユニット６は、奥側コントロールプレート７と手前側コントロールプレート８とを備えた２層構造とされ、両コントロールプレート７，８に圧縮機駆動用のインバータや送風機の駆動回路、四方切換弁、室外膨張弁およびその他電磁弁等を制御する制御基板、電装品およびその他機器類が分散して配設されるとともに、奥側コントロールプレート７に対して、手前側コントロールプレート８がヒンジ爪１３および係止穴１７を介して開閉自在とされている。
【００２５】
従って、メンテナンス等のため、コントロールユニット６にアクセスする必要性が生じた場合、機械室５の前面および側面の一部を覆っているサービスパネルを取り外すことによって、手前側のコントロールプレート８上に配設されているインバータの構成機器類に対してアクセスすることが可能となり、必要な構成機器類を点検、修理あるいは交換する等によりメンテナンスすることができる。
【００２６】
一方、奥側コントロールプレート７に配設されている回路基板、電装品およびその他機器類にアクセスする場合、手前側のコントロールプレート８を固定しているネジ等を取り外し、ヒンジ爪１３を支点にして手前側コントロールプレート８を手前側に開くことによって、奥側コントロールプレート７に対してアクセスが可能となる。このため、奥側のコントロールプレート７上に配設されている基板、電装品およびその他機器類についても同様にメンテナンスすることができる。
【００２７】
ここで、手前側コントロールプレート８の開閉動作を、図５（Ａ）ないし（Ｃ）を参照して以下に詳しく説明する。
図５（Ａ）は、手前側コントロールプレート８を閉じた状態、すなわち奥側コントロールプレート７に対して手前側コントロールプレート８を積層した状態に組み付け固定した状態を示している。このとき、手前側コントロールプレート８に設けられているヒンジ爪１３は、奥側コントロールプレート７に設けられている係止穴１７の第１穴部１８の下縁部に下側の掛り部１５が引っ掛けられて係止されており、ヘミング加工１１により形成された鍔部１２がフランジ部１６に対して面接触され、係止穴１７が鍔部１２により閉鎖されている。
【００２８】
この状態から手前側コントロールプレート８を開くには、まず手前側コントロールプレート８を固定している固定ネジ等を外した上で、手前側コントロールプレート８を手前側に少し引き出し、図５（Ｂ）に示されるように、ヒンジ爪１３を係止穴１７の第１穴部１８から第２穴部１９側へと一段落すように移動させて、第２穴部１９側に係止した状態とする。第２穴部１９は、ヒンジ爪１３の基部１４のみが嵌脱可能な長さＨ２とされているため、上下の掛り部１５が第２穴部１９の上下縁部に引っ掛けられた状態なり、ヒンジ爪１３を支点に手前側コントロールプレート８を回動しても外れる虞がなくなる。
【００２９】
続いて、図５（Ｃ）に示されるように、手前側コントロールプレート８を横にスライドさせながら手前側に回動させることにより、ヒンジ爪１３を支点として手前側コントロールプレート８を開閉することができる。この際、図５（Ｃ）に示されるように、ヒンジ爪１３の突出長さ分だけ手前側コントロールプレート８を横方向にスライドさせることができるため、ヘミング加工１１による折り返しによって迫り出した鍔部１２が、手前側コントロールプレート８の開閉動作を妨げないようにすることができる。
【００３０】
こうして、手前側コントロールプレート８を開くことによって、手前側コントロールプレート８を取り外すことなく、奥側コントロールプレート７上の機器類に対して必要なメンテナンスを施すことができる。なお、奥側コントロールプレート７上の機器類に対するメンテナンスが終了後、上記と逆の動作で手前側コントロールプレート８を閉じることにより、図５（Ａ）に示した元の状態に復帰させることができる。
【００３１】
斯くして、本実施形態によれば、手前側コントロールプレート８をヒンジ爪１３および係止穴１７を介して奥側コントロールプレート７に対して開閉自在に支持することができるため、蝶番の使用による部品数の増加を抑え、組み立て工数の増加や製造コストの上昇を防止しつつ、手前側のコントロールプレート８を開閉自在とし、メンテナンス時の作業性を向上することができる。
【００３２】
また、手前側のコントロールプレート８を閉じて積層状態としたとき、ヘミング加工による折り返しによって形成された鍔部１２を奥側コントロールプレート７に設けられている係止穴１７に対して面接触させることにより、係止穴１７を鍔部１２で閉鎖することができる。従って、奥側コントロールプレート７の係止穴１７を伝って雨水がコントロールユニット６の内部に侵入するのを防止し、コントロールプレート７，８上の基板、電装品およびその他機器類に及ぼす悪影響を排除することができる。
【００３３】
さらに、上記ヒンジ爪１３は、その基部１４先端の上下部に上下方向に突出する掛り部１５を備え、このヒンジ爪１３が係止する係止穴１７は、ヒンジ爪１３の掛り部１５を含む爪先端部分が挿入可能な上下方向寸法Ｈ１を有する第１穴部１８と、該第１穴部１８とクランク状に繋がり、ヒンジ爪１３の基部１４のみが嵌脱可能な第２穴部１９とを備えており、手前側コントロールプレート８の開閉時、手前側コントロールプレート８を手前側に引き出し、ヒンジ爪１３を第２穴部１９側に移動させ、ヒンジ爪１３の掛り部１５を第２穴部２９の上下縁部に引っ掛けることにより開閉自在としている。
【００３４】
このため、手前側コントロールプレート８を閉じて状態とする場合、ヒンジ爪１３を係止穴１７の第１穴部１８に係止し、手前側コントロールプレート８を開閉する場合、手前側に引き出し、ヒンジ爪１３を係止穴１７の第２穴部１９に係止するように係止位置を切換えることにより、手前側コントロールプレート８を閉じて積層状態とした時、ヘミング加工１１によって形成された鍔部１２を係止穴１７に面接触させ、該係止穴１７を閉鎖することができ、また、手前側コントロールプレート８の開閉時、ヘミング加工１１による折り返しにより迫り出した鍔部１２が、手前側コントロールプレート８の開閉動作を妨げないようにすることができる。従って、係止穴１７からの雨水のコントロールユニット６内への侵入を確実に防止することができるとともに、手前側コントロールプレート８の開閉をスムーズに行うことができる。
【００３５】
また、本実施形態においては、奥側（最奥側）のコントロールプレート７が、熱交換室４と機械室５とを仕切る仕切り板３の一部を兼ねた構成とされている。このため、最奥側のコントロールプレート７が、熱交換室４と機械室５とを仕切る仕切り板３の一部を兼ねた構成とされているユニットの場合であっても、係止穴１７をヒンジ爪１３側のヘミング加工１１によって形成された鍔部１２で閉鎖することにより、熱交換室４側でファンの回転により吹き飛ばされた雨水が、係止穴１７を伝って機械室５側のコントロールユニット６内部に侵入してくるのを阻止することができる。従って、雨水の侵入によるコントロールプレート７および８上の基板、電装品およびその他機器類への悪影響を排除することができる。
【００３６】
なお、本発明は、上記実施形態にかかる発明に限定されるものではなく、その要旨を逸脱しない範囲において、適宜変形が可能である。例えば、上記実施形態では、奥側のコントロールプレート７が仕切り板３の一部を兼ねた構成のユニットに適用した例について説明したが、必ずしも奥側コントロールプレート７が、仕切り板３の一部を兼ねたものである必要はない。また、上記実施形態では、手前側コントロールプレート８に対して奥側コントロールプレート７が斜めに配置されているが、両コントロールプレート７，８は平行に積層された構成としてもよいことはもちろんである。
【符号の説明】
【００３７】
１  空気調和機の室外機
３  仕切り板
４  熱交換室
５  機械室
６  コントロールユニット
７  奥側コントロールプレート
８  手前側コントロールプレート
１１  ヘミング加工
１２  鍔部
１３  ヒンジ爪
１４  基部
１５  掛り部
１７  係止穴
１８  第１穴部
１９  第２穴部
【図１】
2014066462.tif 000003
【図２】
2014066462.tif 000004
【図３】
2014066462.tif 000005
【図４】
2014066462.tif 000006
【図５】
2014066462.tif 000007